(57)【特許請求の範囲】
【請求項１】
一定の間隔を開けて平行に延びる少なくとも左右一対の梁筋枠と、
前記梁筋枠の上端に架け渡された状態に配置されている連結筋枠と、
を有しており、
各梁筋枠は、
上下に所定間隔を開けて平行に延びる上端梁主筋および下端梁主筋と、
前記上端梁主筋および前記下端梁主筋の軸線方向に所定のピッチで配列され、これらの梁主筋に対して上下の端部がそれぞれ溶接されているあばら筋と、
を備えており、
前記連結筋枠として、第１連結筋枠および第２連結筋枠を備えており、
前記第１連結筋枠は、
前記上端梁主筋の間に架け渡され、前記上端梁主筋の長さ方向に所定のピッチで配列されている複数本の第１の横連結筋と、
前記上端梁主筋の間において、これらの上端梁主筋と平行に延びていると共に前記第１の横連結筋に溶接されている１本の第１の縦連結筋と、
前記第１の横連結筋の一方の端に形成されている第１のフック部分と、
を備えており、
前記第２連結筋枠は、
前記上端梁主筋の間に架け渡され、前記上端梁主筋の長さ方向に前記第１の横連結筋と同一のピッチで配列されている複数本の第２の横連結筋と、
前記上端梁主筋の間において、これらの上端梁主筋と平行に延びていると共に前記第２の横連結筋に溶接されている１本の第２の縦連結筋と、
前記第２の横連結筋における前記第１の横連結筋とは反対側の端に形成されている第２のフック部分と、
を備えており、
前記第１連結筋枠と、前記第２連結筋枠とは、前記ピッチの半分のピッチだけ前記軸線方向にずれた状態で、左右の前記上端梁主筋の上側に配置されており、
前記上端梁主筋と前記あばら筋の溶接強度は鉄筋母材の規格降伏点強度以上であり、
前記第１の横連結筋と前記第１の縦連結筋の溶接強度、および、前記第２の横連結筋と前記第２の縦連結筋の溶接強度は、それぞれ、鉄筋母材の規格降伏点強度以上であることを特徴とする鉄筋コンクリート基礎梁のダブル配筋構造。
【請求項２】
請求項１に記載の鉄筋コンクリート基礎梁のダブル配筋構造に用いる連結筋枠であって、
第１連結筋枠および第２連結筋枠を備えており、
前記第１連結筋枠は、
前記上端梁主筋の間に架け渡され、前記上端梁主筋の長さ方向に所定のピッチで配列される複数本の第１の横連結筋と、
前記上端梁主筋の間において、これらの上端梁主筋と平行に延びていると共に前記第１の横連結筋に溶接される１本の第１の縦連結筋と、
前記第１の横連結筋の一方の端に形成されている第１のフック部分と、
を備えており、
前記第２連結筋枠は、
前記上端梁主筋の間に架け渡され、前記上端梁主筋の長さ方向に前記第１の横連結筋と同一のピッチで配列される複数本の第２の横連結筋と、
前記上端梁主筋の間において、これらの上端梁主筋と平行に延びていると共に前記第２の横連結筋に溶接される１本の第２の縦連結筋と、
前記第２の横連結筋における前記第１の横連結筋とは反対側の端に形成されている第２のフック部分と、
を備えており、
前記第１連結筋枠と、前記第２連結筋枠とは、前記ピッチの半分のピッチだけ前記軸線方向にずれた状態で、左右の前記上端梁主筋の上側に配置されるようになっており、
前記第１の横連結筋と前記第１の縦連結筋の溶接強度、および、前記第２の横連結筋と前記第２の縦連結筋の溶接強度は、それぞれ、鉄筋母材の規格降伏点強度以上であることを特徴とする連結筋枠。
【請求項３】
請求項１に記載のダブル配筋構造を備えていることを特徴とする鉄筋コンクリート基礎梁。
【発明の詳細な説明】
【技術分野】
【０００１】
本発明は、住宅建築等におけるダブル配筋された鉄筋コンクリート基礎梁に関する。さらに詳しくは、靭性能の高い鉄筋コンクリート基礎梁を構築するために適したダブル配筋構造に関する。
【背景技術】
【０００２】
住宅建築等に用いられる鉄筋コンクリート製の基礎梁の配筋構造としては、上下一対の梁主筋に一定のピッチであばら筋を溶接した構造の梁主筋枠が配置されているシングル配筋構造が知られている。梁主筋枠は、工場において、上下の梁主筋にあばら筋の上下の端部側面をスポット溶接したユニットとして製造され、建築現場に搬入されて組み立てられる。
【０００３】
本願人等は、特許文献１において、シングル配筋された鉄筋コンクリート梁における上面割裂ひび割れの発生および進行を抑制して、脆性破壊することを回避できる配筋構造を提案している。ここに開示の配筋構造では、上側の梁主筋を中心として螺旋状に細い補強鉄筋を配置している。補強筋によって、曲げ降伏後の上面割裂ひび割れの発生および進行を抑制できるようにし、梁の靭性能を高めている。
【先行技術文献】
【特許文献】
【０００４】
【特許文献１】特開２００５−８３１２２号公報
【発明の概要】
【発明が解決しようとする課題】
【０００５】
ここで、基礎梁の配筋構造として、上記構成の梁主筋枠を一定の間隔で左右に配置したダブル配筋構造が知られている。ダブル配筋構造においては、建築現場において左右の梁主筋枠を平行に配置した後に、それらの上側から連結筋を架け渡して左右の上端梁主筋に結束している。
【０００６】
このような左右の梁主筋枠から構成されるダブル配筋構造は、フープ状のあばら筋が一定のピッチで左右の上端梁主筋および左右の下端梁主筋を取り囲む状態に固定されている一般的な基礎梁のダブル配筋構造に比べて、左右の梁主筋枠の間、あるいは、その上側のコンクリート部分の拘束力が十分ではない。このために、シングル配筋構造の場合と同様に、降伏後において梁上面あるいは梁下面に梁主筋に沿ったひび割れ口が開き、これが伸展して急激な耐力低下を伴い最終破壊に至るおそれがある。すなわち、上面割裂ひび割れが主因となった破壊に支配され、曲げ降伏後の靭性能が十分ではない。
【０００７】
本発明の課題は、左右一対の梁主筋枠の上端が一定のピッチで連結筋によって連結された構成の鉄筋コンクリート基礎梁の曲げ降伏後の挙動に着目し、このようなダブル配筋構造の鉄筋コンクリート基礎梁における靭性能を高めて、脆性破壊を回避できるようにすることにある。
【課題を解決するための手段】
【０００８】
上記の課題を解決するために、本発明の鉄筋コンクリート基礎梁のダブル配筋構造は、一定の間隔を開けて平行に延びる少なくとも左右一対の梁筋枠と、左右の梁筋枠の上端に架渡された状態に配置されている連結筋枠とを有している。各梁主筋枠は、上下に所定間隔を開けて平行に延びる上端梁主筋および下端梁主筋と、上端梁主筋および下端梁主筋の
長さ方向に所定のピッチで配列され、これらの梁主筋に対して上下の端部がそれぞれ溶接されているあばら筋とを備えている。連結筋枠は、左右の上端梁主筋の間に架け渡された少なくとも１本の横連結筋と、左右の上端梁主筋の間において、これらの上端梁主筋と平行に延びていると共に横連結筋に溶接されている少なくとも１本の縦連結筋とを備えている。横連結筋は、左右の上端梁主筋の上側に架け渡されている左右の端のうちの少なくとも一方の端から前記上端梁主筋の外側を通り下方あるいは内側に折れ曲がって延びるフック部分を備えている。
【０００９】
ここで、連結筋枠を、上端梁主筋の長さ方向に所定のピッチで配列されている複数本の横連結筋と、これらの横連結筋に溶接されている１本の縦連結筋とから構成することができる。
【００１０】
この場合、連結筋枠として、第１連結筋枠および第２連結筋枠を備えていてもよい。一方の第１連結筋枠を、複数本の第１の横連結筋と、これらを連結する１本の第１の縦連結筋と、当該第１の横連結筋の一方の端に形成されている第１のフック部分とから構成することができる。同様に、第２連結筋枠を、第１の横連結筋と同一のピッチで配列されている複数本の第２の横連結筋と、１本の第２の縦連結筋と、第２の横連結筋における第１の横連結筋とは反対側の端に形成されている第２のフック部分とを備えた構成とすることができる。この場合には、第１連結筋枠と第２連結筋枠とを、長さ方向にずらした状態で、左右の上端梁主筋の上側に配置すればよい。
【００１１】
一方、連結筋枠を、複数本の横連結筋を２本の縦連結筋によって連結した構成とすることができる。この場合には、横連結筋のそれぞれに、その両端にフック部分を設けておくことができる。
【００１２】
本発明において、上端梁主筋とあばら筋の溶接強度は鉄筋母材の規格降伏点強度以上であることが望ましい。また、連結筋枠における横連結筋と縦連結筋の間の溶接強度も鉄筋母材の規格降伏点強度以上であることが望ましい。
【００１３】
次に、本発明は、上記構成の鉄筋コンクリート基礎梁のダブル配筋構造に用いる連結筋枠に関するものであり、当該連結筋枠は、少なくとも１本の横連結筋と、横連結筋に交差する方向に延びていると共に当該横連結筋に溶接されている少なくとも１本の縦連結筋とを備えている。また、横連結筋における少なくとも一方の端には所定方向に折れ曲がって延びるフック部分が形成されている。
【００１４】
次に、本発明は、ダブル配筋構造を備えた鉄筋コンクリート基礎梁に関するものであり、当該鉄筋コンクリート基礎梁は上記構成のダブル配筋構造を備えていることを特徴としている。
【発明の効果】
【００１５】
本発明によれば、左右一対の梁筋枠を備えた鉄筋コンクリート基礎梁において、その上端梁主筋の間、および、それらの上側のコンクリート部分が、横連結筋および縦連結筋から構成されている連結筋枠によって拘束され、割裂ひび割れが抑制される。これにより、曲げ降伏後において梁上面の割裂ひび割れの発生およびその進行が抑制され、その靭性能が高まり、脆性破壊強度が高くなるという効果が得られる。
【図面の簡単な説明】
【００１６】
【図１】本発明を適用した鉄筋コンクリート基礎梁を示す横断面図および縦断面図である。
【図２】連結筋枠の二例を示す説明図である。
【図３】連結筋枠の別の例を示す説明図である。
【図４】連結筋枠の更に別の例を示す説明図である。
【図５】本発明を適用可能な配筋構造の別の例を示す横断面図である。
【発明を実施するための最良の形態】
【００１７】
以下に、図面を参照して、本発明を適用したダブル配筋構造を備えた鉄筋コンクリート基礎梁の実施の形態を説明する。
【００１８】
図１（ａ）は本実施の形態に係る鉄筋コンクリート基礎梁を示す横断面図であり、図１（ｂ）はその縦断面図である。鉄筋コンクリート基礎梁１は、ダブル配筋構造の鉄筋部２と、鉄筋部２を所定の被り厚さで覆い包んでいるコンクリート部３とから構成されている。
【００１９】
鉄筋部２は、ベース筋４から一定の間隔を開けて垂直に起立して平行に延びている左右一対の梁筋枠５Ｌ、５Ｒを有している。また、鉄筋部２は、梁筋枠５Ｌ、５Ｒの上端の間に架け渡す状態に配置されている連結筋枠６を有している。連結筋枠６は、後述の図２〜図４に示す連結筋枠６Ａ、６Ｂ、６Ｃ、６Ｄのうちのいずれか一つである。
【００２０】
左側の梁筋枠５Ｌは、上下に一定の間隔を開けて水平方向に平行に延びる上端梁主筋７Ｌおよび下端梁主筋８Ｌと、上端梁主筋７Ｌおよび下端梁主筋８Ｌの長さ方向に一定のピッチで配列され、これらの梁主筋７Ｌ、８Ｌに対して上下の端部がそれぞれ溶接されているあばら筋９Ｌとを備えている。右側の梁筋枠５Ｒは、上下に一定の間隔を開けて水平方向に平行に延びる上端梁主筋７Ｒおよび下端梁主筋８Ｒと、上端梁主筋７Ｒおよび下端梁主筋８Ｒの長さ方向に一定のピッチで配列され、これらの梁主筋７Ｒ、８Ｒに対して上下の端部がそれぞれ溶接されているあばら筋９Ｒとを備えている。
【００２１】
連結筋枠６は、左右の上端梁主筋７Ｌ、７Ｒの間に架け渡された横連結筋１１と、横連結筋１１に直交する方向に架け渡されている縦連結筋１２とを備えている。横連結筋１１は、上端梁主筋７Ｌ、７Ｒの長さ方向に一定のピッチで配列されている。本例では２本の縦連結筋１２を備えており、これらの縦連結筋１２は、上端梁主筋７Ｌ、７Ｒの間において、一定の間隔を開けて、それらの長さ方向に平行に延びている。各横連結筋１１は２本の縦連結筋１２に溶接されている。
【００２２】
横連結筋１１における一方の端、たとえば左側の端には、左側の上端梁主筋の上側からその外側を通り、下方に直角に折れ曲がって延びているフック部分１１ａが形成されている。横連結筋１１における他方の右側の端には、右側の上端梁筋の上側からその外側を通り、下方に向かうに連れて内側に傾斜する方向に折れ曲がって延びている傾斜フック部分１１ｂが形成されている。
【００２３】
図２は連結筋枠６の二例を示す斜視図である。図２（ａ）に示す連結筋枠６Ａは、２本の横連結筋１１と２本の縦連結筋１２とから構成されたユニットである。横連結筋１１はあばら筋９Ｌ、９Ｒと同一ピッチで配列されている。この構成の連結筋枠６を工場生産し、建築現場においては、組み付けた左右の梁筋枠５Ｌ、５Ｒの上に、それらの長さ方向に沿って配置し、結束筋などを用いて、梁筋枠５Ｌ、５Ｒに固定する。
【００２４】
図２（ｂ）に示す連結筋枠６Ｂは、３本の横連結筋１１と２本の縦連結筋１２とから構成されたユニットである。連結筋枠６Ｂを４本以上取り付けたユニットとすることも可能である。また、広幅の基礎梁などの場合には、縦連結筋１２を３本配置することも可能である。
【００２５】
図３は連結筋枠６の更に別の例を示す説明図である。図３（ａ）に示すように、本例の連結筋枠６Ｃは、第１連結筋枠１６Ａと、第２連結筋枠１６Ｂとの組み合わせからなる。第１連結筋枠１６Ａは、図３（ｂ）に示すように、一定のピッチ、たとえばあばら筋９Ｌ、９Ｒのピッチの２倍のピッチで配列された複数本の横連結筋１１Ａと、これらに直交する方向に配列された１本の縦連結筋１２Ａとから構成されており、これらの交差部は溶接されている。横連結筋１１Ａにおいては、一方の端、たとえば左端に下方に向かって内側に傾斜したフック部分１１ｂが形成され、他方の端にはフック部分が付いていない。また、縦連結筋１２Ａは、フック部分が付いていない右端に近い位置を横連結筋１１Ａに直交する方向に延びている。
【００２６】
他方の第２連結筋枠１６Ｂは、図３（ｃ）に示すように、一定のピッチ、たとえばあばら筋９Ｌ、９Ｒのピッチの２倍のピッチで配列された複数本の横連結筋１１Ｂと、これらに直交する方向に配列された１本の縦連結筋１２Ｂとから構成されており、これらの交差部は溶接されている。横連結筋１１Ｂにおいては、右端に下方に向かって内側に傾斜したフック部分１１ｂが形成され、他方の端にはフック部分が付いていない。縦連結筋１２Ｂは、フック部分が付いていない左端に近い位置を横連結筋１１Ｂに直交する方向に延びている。
【００２７】
第１連結筋枠１６Ａ、第２連結筋枠１６Ｂは、左右の上端梁主筋７Ｌ、７Ｒの上に、それらの長さ方向において所定量だけずらした状態に配置され、これらに固定される。たとえば、図３（ａ）に示すように、あばら筋９Ｌ、９Ｒと同一ピッチだけずらした状態に配置される。
【００２８】
ここで、第１、第２連結筋枠１６Ａ、１６Ｂが図３（ａ）に示す状態に工場において予め溶接された構造の連結筋枠６Ｃを製作して、設置現場に持ち込むようにしてもよい。
【００２９】
また、図４に示す連結筋枠６Ｄを用いることもできる。連結筋枠６Ｄは、同一長さの２本の縦筋枠１２Ａ、１２Ｂを備えている点が図３（ａ）の連結筋枠６Ｃと相違している。各横筋枠１１Ａ、１１Ｂは、双方の縦筋枠１２Ａ、１２Ｂに溶接によって固定されている。
【００３０】
図５は本発明を適用可能な鉄筋コンクリート基礎梁の配筋構造の別の例を示す横断面図である。本例の配筋構造は、いわゆる、トリプル配筋構造の鉄筋部であり、図１に示すダブル配筋構造の鉄筋部２の代わりに用いることができる。
【００３１】
図５の鉄筋部２Ａは、ベース筋４と、ここから一定の間隔で垂直に起立して平行に延びている左右の梁筋枠５Ｌ、５Ｒと、これらの間において垂直に起立して平行に延びている中央の梁筋枠５Ｃとを備えている。中央の梁筋枠５Ｃは左右の梁筋枠５Ｌ、５Ｒと同様な配筋構造となっており、上端梁主筋７Ｃ、下端梁主筋８Ｃおよびあばら筋９Ｃから構成されている。これらの３組の梁筋枠５Ｌ、５Ｃ、５Ｒの上に、連結筋枠６（６Ａ〜６Ｄ）が配置される。
【００３２】
次に、上記の各例において、上端梁主筋７Ｌ、７Ｒ、７Ｃおよび下端梁主筋８Ｌ、８Ｒ、８Ｃと、あばら筋９Ｌ、９Ｒ、９Ｃとの間の溶接強度は、それぞれ、鉄筋母材の規格降伏点強度以上であることが望ましい。また、連結筋枠６Ａ〜６Ｄにおいても、横連結筋１１、１１Ａ、１１Ｂと縦連結筋１２、１２Ａ、１２Ｂ、１２Ａ１、１２Ｂ１との間の溶接強度も、鉄筋母材の規格降伏点強度以上であることが望ましい。
【符号の説明】
【００３３】
１    鉄筋コンクリート基礎梁
２、２Ａ    鉄筋部
３    コンクリート部
４    ベース筋
５Ｌ、５Ｒ、５Ｃ  梁筋枠
６、６Ａ、６Ｂ、６Ｃ、６Ｄ  連結筋枠
７Ｌ、７Ｒ、７Ｃ  上端梁主筋
８Ｌ、８Ｒ、８Ｃ  下端梁主筋
９Ｌ、９Ｒ、９Ｃ  あばら筋
１１、１１Ａ、１１Ｂ  横連結筋
１１ａ、１１ｂ  フック部分
１２、１２Ａ、１２Ｂ  縦連結筋
１６Ａ  第１連結筋枠
１６Ｂ  第２連結筋枠
【図１】
0006591255.tif 000002
【図２】
0006591255.tif 000003
【図３】
0006591255.tif 000004
【図４】
0006591255.tif 000005
【図５】
0006591255.tif 000006